(57)【要約】【課題】ＩＰ網及びＰＳＴＮに接続し、ＩＰ網を介して送信されたパケット信号をＶｏＩＰアダプタでアナログ信号に変換して受信する通信装置において、ＰＳＴＮを介した通信時にアナログサービスの提供を受けることが可能な通信システム、通信経路切り替え装置、通信経路切り替え方法、通信システム、通信装置、及び信号変換装置を提供する。【解決手段】交換機とＶｏＩＰアダプタとの間に経路切り替え装置を設置し、交換機がＩＰ網とＰＳＴＮの何れから信号の着信を受けたかに応じて、経路切り替え装置で通信システム内の通信経路を切り替え、ＰＳＴＮから着信した信号をＶｏＩＰアダプタを介することなく、通信装置に着信させる。  【選択図】  図１
2007312295.tif 000002
【特許請求の範囲】
【請求項１】
パケット信号を音声信号に変換する信号変換手段を介して信号を通信装置に送出する第１の通信経路と、
前記信号を前記通信装置に直接送出する第２の通信経路と、
前記信号の着信を検出し、該信号に応じて前記第１の通信経路と前記第２の通信経路との切り替えを行う着信検出手段と
を具備することを特徴とする経路切り替え装置。
【請求項２】
前記着信検出手段は、前記信号が送信された通信網を前記通信装置に通知することを特徴とする請求項１記載の経路切り替え装置。
【請求項３】
信号の着信を着信検出手段で検出し、
前記信号に基づいて、パケット信号を音声信号に変換する信号変換手段を介して前記信号を通信装置に送出する第１の通信経路と、前記信号を前記通信装置に直接送出する第２の通信経路とを前記着信検出手段で切り替える
ことを特徴とする経路切り替え方法。
【請求項４】
前記着信検出手段は、前記信号が送信された通信網を前記通信装置に通知することを特徴とする請求項３記載の経路切り替え手段。
【請求項５】
経路切り替え装置と、
パケット信号を音声信号に変換する信号変換装置と、
音声信号を用いて通信を行う通信装置と
を具備し、
前記経路切り替え装置は、
前記信号変換装置を介して前記通信装置に前記信号を送出する第１の通信経路と、
前記信号を前記通信装置に直接送出する第２の通信経路と、
前記信号の着信を検出し、該信号に応じて前記第１の通信経路と前記第２の通信経路との切り替えを行う着信検出手段と
を具備することを特徴とする通信システム。
【請求項６】
前記着信検出手段は、前記信号が送信された通信網を前記通信装置に通知することを特徴とする請求項５記載の通信システム。
【請求項７】
音声信号を用いて通信を行う通信手段と、
通信経路の切り替えを行う経路切り替え手段と
を備え、
前記経路切り替え手段は、
パケット信号を音声信号に変換する信号変換手段を介して信号を前記通信手段に送出する第１の通信経路と、
前記信号を前記通信手段に直接送出する第２の通信経路と、
前記信号の着信を検出し、該信号に応じて前記第１の通信経路と前記第２の通信経路との切り替えを行う着信検出手段と
を具備することを特徴とする通信装置。
【請求項８】
パケット信号を音声信号に変換する信号変換手段と、
通信経路の切り替えを行う経路切り替え手段と
を備え、
前記経路切り替え手段は、
前記信号変換手段を介して通信装置に信号を送出する第１の通信経路と、
前記信号を前記通信装置に直接送出する第２の通信経路と、
前記信号の着信を検出し、該信号に応じて前記第１の通信経路と前記第２の通信経路との切り替えを行う着信検出手段と
を具備することを特徴とする信号変換装置。
【発明の詳細な説明】
【技術分野】
【０００１】
本発明は、通信経路切り替え装置、通信経路切り替え方法、通信システム、通信装置、及び信号変換装置に関し、特に、ＰＳＴＮ(Public Switched Telephone Networks)、及びＩＰ(Internet Protocol)網と接続して通信を行う通信経路切り替え装置、通信経路切り替え方法、通信システム、通信装置、及び信号変換装置に関する。
【背景技術】
【０００２】
Ｇ３ＦＡＸ（ファクシミリ装置）や電話機など、アナログ式の通信装置を用いてＩＰ網を介した通信を行う場合は、図８に示すように、ＰＳＴＮ１０、及びＩＰ網２０と接続し、通信経路の切り替えを行う交換機３０と、通信装置４０との間にＶｏＩＰ(Voice over Internet Protocol)アダプタ５０を設置し、ＩＰ２０網を介して送信されたパケット信号をＶｏＩＰアダプタ５０で音声信号（アナログ信号）に変換することによって、アナログ式の通信装置４０での受信を可能にしていた。
【０００３】
また、ＰＳＴＮ１０を介して音声信号が送信された場合は、ＶｏＩＰアダプタ５０をそのまま通過させて、通信装置４０で受信していた（例えば、特許文献１参照）。
【特許文献１】特開２００２−９９３８号公報
【発明の開示】
【発明が解決しようとする課題】
【０００４】
しかし、音声信号がＶｏＩＰアダプタを通過する際に、何等の処理も行なわれることなく完全にそのまま通過するとは限らず、送信者の電話番号を受信者に通知するナンバーディスプレイなど、ＰＳＴＮを介した通信時に提供されているサービス（アナログサービス）を受けることができない場合があった。
【０００５】
そこで、本発明では、ＩＰ網及びＰＳＴＮに接続し、ＩＰ網を介して送信されたパケット信号をＶｏＩＰアダプタでアナログ信号に変換して受信する通信装置において、ＰＳＴＮを介した通信時にアナログサービスの提供を受けることが可能な通信システム、通信経路切り替え装置、通信経路切り替え方法、通信システム、通信装置、及び信号変換装置を提供することを目的とする。
【課題を解決するための手段】
【０００６】
本発明における通信経路切り替え装置は、パケット信号を音声信号に変換する信号変換手段を介して信号を通信装置に送出する第１の通信経路と、前記信号を前記通信装置に直接送出する第２の通信経路と、前記信号の着信を検出し、該信号に応じて前記第１の通信経路と前記第２の通信経路との切り替えを行う着信検出手段とを具備することを特徴とする。
【０００７】
この構成では、パケットを受信すると、第１の通信経路を用いて信号変換手段でパケットを音声信号に変換して通信装置に送信し、音声信号を受信すると、第２の通信経路を用いて、信号変換手段を介することなく音声信号を通信装置に送出することができる。
【０００８】
また、前記着信検出手段は、前記信号が送信された通信網を前記通信装置に通知することが望ましい。
【０００９】
次に、本発明における経路切り替え方法は、信号の着信を着信検出手段で検出し、前記信号に基づいて、パケット信号を音声信号に変換する信号変換手段を介して前記信号を通信装置に送出する第１の通信経路と、前記信号を前記通信装置に直接送出する第２の通信経路とを前記着信検出手段で切り替えることを特徴とする。
【００１０】
この構成では、パケットを受信すると、第１の通信経路を用いて信号変換手段でパケットを音声信号に変換して通信装置に送信し、音声信号を受信すると、第２の通信経路を用いて、信号変換手段を介することなく音声信号を通信装置に送出することができる。
【００１１】
また、前記着信検出手段は、前記信号が送信された通信網を前記通信装置に通知することが望ましい。
【００１２】
本発明における通信システムは、経路切り替え装置と、パケット信号を音声信号に変換する信号変換装置と、音声信号を用いて通信を行う通信装置とを具備し、前記経路切り替え装置は、前記信号変換装置を介して前記通信装置に前記信号を送出する第１の通信経路と、前記信号を前記通信装置に直接送出する第２の通信経路と、前記信号の着信を検出し、該信号に応じて前記第１の通信経路と前記第２の通信経路との切り替えを行う着信検出手段とを具備することを特徴とする。
【００１３】
この構成では、パケットを受信すると、第１の通信経路を用いて信号変換装置でパケットを音声信号に変換して通信装置に送信し、音声信号を受信すると、第２の通信経路を用いて、信号変換装置を介することなく音声信号を通信装置に送出することができる。
【００１４】
また、前記着信検出手段は、前記信号が送信された通信網を前記通信装置に通知することが望ましい。
【００１５】
本発明における通信装置は、音声信号を用いて通信を行う通信手段と、通信経路の切り替えを行う経路切り替え手段とを備え、前記経路切り替え手段は、パケット信号を音声信号に変換する信号変換手段を介して信号を前記通信手段に送出する第１の通信経路と、前記信号を前記通信手段に直接送出する第２の通信経路と、前記信号の着信を検出し、該信号に応じて前記第１の通信経路と前記第２の通信経路との切り替えを行う着信検出手段とを具備することを特徴とする。
【００１６】
この構成では、パケットを受信すると、第１の通信経路を用いて信号変換手段でパケットを音声信号に変換して通信装置に送信し、音声信号を受信すると、第２の通信経路を用いて、信号変換手段を介することなく音声信号を通信手段に送出することができる。
【００１７】
本発明における信号変換装置は、パケット信号を音声信号に変換する信号変換手段と、通信経路の切り替えを行う経路切り替え手段とを備え、前記経路切り替え手段は、前記信号変換手段を介して通信装置に信号を送出する第１の通信経路と、前記信号を前記通信装置に直接送出する第２の通信経路と、前記信号の着信を検出し、該信号に応じて前記第１の通信経路と前記第２の通信経路との切り替えを行う着信検出手段とを具備することを特徴とする。
【００１８】
この構成では、パケットを受信すると、第１の通信経路を用いて信号変換手段でパケットを音声信号に変換して通信装置に送信し、音声信号を受信すると、第２の通信経路を用いて、信号変換手段を介することなく音声信号を通信装置に送出することができる。
【発明の効果】
【００１９】
本発明では、ＩＰ網を介して送信されたパケット信号をアナログに変換して受信する通信装置において、ＰＳＴＮを介した通信時にアナログサービスを受けることが可能となる。
【発明を実施するための最良の形態】
【００２０】
図１は、本発明に係る経路切り替え装置を備えた通信システムの構成の一例を示す模式図である。
【００２１】
同図に示すように、通信システムは、ＰＳＴＮ１０、及びＩＰ網２０と接続し、通信経路の切り替えを行う交換機３０と、通信装置４０との間にＶｏＩＰアダプタ５０と経路切り替え装置６０とを具備して構成されている。
【００２２】
また、経路切り替え装置６０は、信号の着信を検出する着信検出部６１と、経路を切り替えるためのスイッチ６２、６３とを具備して構成されている。
【００２３】
ここで、着信検出部６１は、信号の着信を検出すると共に、着信した信号がパケット信号であるか音声信号であるかに応じてスイッチ６２、６３にＯＮ、ＯＦＦの制御信号を送信する。
【００２４】
なお、パケット信号（デジタル信号）であるか音声信号（アナログ信号）であるかの判断は、例えば、信号にパケット信号のヘッダが含まれている場合はパケット信号と判断し、パケット信号のヘッダが含まれていなければ音声信号と判断するなど、任意の方法を用いることができる。
【００２５】
スイッチ６２（ＳＷ１）は、閉じる（ＯＮ）ことでＶｏＩＰアダプタ５０を介することなく通信装置４０に信号を送信する通信経路を構成する。
【００２６】
また、スイッチ６３（ＳＷ２）６３は、閉じる（ＯＮ）ことでＶｏＩＰアダプタ５０を介して通信装置４０に信号を送信する通信経路を構成する。
【００２７】
上記構成を用いて経路切り替え装置６０は、着信検出部６１でパケット信号の着信を検出すると、スイッチ６２を開き（ＯＦＦ）、スイッチ６３を閉じる（ＯＮ）（図２参照）。
【００２８】
一方、着信検出部６１で音声信号の着信を検出すると、スイッチ６３を開き（ＯＦＦ）、スイッチ６２を閉じる（ＯＮ）（図３参照）。
【００２９】
図４は、経路切り替え装置における処理の流れの一例を示すフローチャートである。
【００３０】
まず、信号の着信を検出する（ステップ１００）と、音声信号であるかパケット信号であるかの判断を行う（ステップ１０１）。
【００３１】
そして、ステップ１０１で、パケット信号であると判断すると、図２に示すように、ＳＷ１を閉じ、ＳＷ２を開く（ステップ１０２）。
【００３２】
一方、ステップ１０１で、音声信号であると判断すると、図３に示すように、ＳＷ１を開き、ＳＷ２を閉じる（ステップ１０３）。
【００３３】
このように本発明では、ＩＰ網を介して送信された信号（パケット信号）を、ＶｏＩＰアダプタを介して通信装置で受信し、ＰＳＴＮを介して送信された信号（音声信号）を、ＶｏＩＰアダプタを介することなく通信装置で受信するため、ＩＰ網とＰＳＴＮのどちらを利用した通信であっても対応することが可能でありながら、ＰＳＴＮを利用した通信時には、アナログサービスの提供を受けることができる。
【００３４】
ところで、図４を用いて説明した処理では、通信網に応じて通信経路が経路切り替え装置で自動的に切り替えられ、必要に応じてＶｏＩＰアダプタで処理された信号が通信装置に着信するため、どちらの通信網を用いた通信が行われているかを通信装置で確認することは困難である。
【００３５】
そこで、通信時に現在利用している通信経路を経路切り替え装置から通信装置に通知する際の経路切り替え装置における処理の流れの一例を、図５を用いて説明する。
【００３６】
まず、信号の着信を検出する（ステップ２００）と、音声信号であるかパケット信号であるかの判断を行う（ステップ２０１）。
【００３７】
そして、ステップ２０１で、パケット信号であると判断すると、ＩＰ網を介した受信である旨を通信装置に通知する（ステップ２０２）。
【００３８】
一方、ステップ２０１で、音声信号であると判断すると、ＰＳＴＮを介した受信である旨を通信装置に通知する（ステップ２０３）。
【００３９】
このように本発明では、現在行われている通信が、ＰＳＴＮとＩＰ網の何れの通信網を介して行われているかを経路切り替え装置から通信装置に通知するため、通信装置のＵＩに通信網を表示するなどの方法を用いて、ユーザに現在の通信で利用している通信網を通知するすることが可能となる。
【００４０】
このため、ＰＳＴＮとＩＰ網の何れで通信を行っているかによって、ユーザに提供されるサービスが異なる場合、ユーザは、現在利用可能なサービスを認識することができるため、適切なサービスの提供を受けることができる。
【００４１】
なお、図１では、ＶｏＩＰアダプタと交換機との間に、経路切り替え装置を設けているが、例えば、図６に示すように、従来のＶｏＩＰアダプタとしての機能を備えたＶｏＩＰモジュール５１と、経路切り替え装置としての機能を備えた経路切り替えモジュール６４をＶｏＩＰアダプタ５０内に設け、ＰＳＴＮを介して送信された信号を、ＶｏＩＰモジュールを介することなく通信装置で受信するように構成してもよい。
【００４２】
また、図７に一例を示すように、従来の通信装置（ＦＡＸモジュールなど）としての機能を備えた通信モジュール４１と、経路切り替え装置としての機能を備えた経路切り替えモジュール６４を通信装置４０内に設け、ＰＳＴＮを介して送信された信号を、ＶｏＩＰアダプタを介することなく通信モジュールで受信するように構成してもよい。
【図面の簡単な説明】
【００４３】
【図１】本発明に係る経路切り替え装置を備えた通信システムの構成の一例を示す模式図である。
【図２】ＩＰ網を介して送信された信号を受信する際の通信システムにおける信号の流れの一例を示す模式図である。
【図３】ＰＳＴＮを介して送信された信号を受信する際の通信システムにおける信号の流れの一例を示す模式図である。
【図４】経路切り替え装置における処理の流れの一例を示すフローチャートである。
【図５】経路切り替え装置における処理の流れの一例を示すフローチャートである。
【図６】本発明に係る通信システムの構成の一例を示す模式図である。
【図７】本発明に係る通信システムの構成の一例を示す模式図である。
【図８】従来の通信システムの構成の一例を示す模式図である。
【符号の説明】
【００４４】
１０…ＰＳＴＮ
２０…ＩＰ網
３０…交換機
４０…通信装置
４１…通信モジュール
５０…ＶｏＩＰアダプタ
５１…ＶｏＩＰモジュール
６０…経路切り替え装置
６１…着信検出部
６２、６３…スイッチ
６４…経路切り替えモジュール
【図１】
2007312295.tif 000003
【図２】
2007312295.tif 000004
【図３】
2007312295.tif 000005
【図４】
2007312295.tif 000006
【図５】
2007312295.tif 000007
【図６】
2007312295.tif 000008
【図７】
2007312295.tif 000009
【図８】
2007312295.tif 000010